【事件の表示】
　特願２００２−５１７３１０「インクジェット・プリントヘッドにおける最小エネルギーパルス特性の決定」拒絶査定不服審判事件〔平成１４年　２月１４日国際公開、ＷＯ０２／１１９９２、平成１６年　６月１７日国内公表、特表２００４−５１７７５３〕について、次のとおり審決する。
【結　論】
　本件審判の請求は、成り立たない。
【理　由】
第１　手続の経緯
　本願は、平成１３年８月３日（パリ条約による優先権主張　２０００年８月８日、米国）を国際出願日とする出願であって、平成１８年５月２３日付けで通知された拒絶理由に対して、同年１０月１７日付けで手続補正書が提出され、平成１９年１月３０日付けで拒絶査定がなされ、これに対して、同年５月７日付けで審判請求がなされるとともに、同年６月５日付けで手続補正書が提出され、その後、当審において前置報告を用いた審尋を行ったが、それに対する回答書は提出されなかった。
　
　
第２　平成１９年６月５日付けの手続補正の却下の決定
　
［補正却下の決定の結論］
　平成１９年６月５日付けの手続補正（以下、「本件補正」という。）を却下する。
　
［理由］
１．補正後の本件補正
　本件補正は、特許請求の範囲について、補正前の請求項９〜１９，２２，２７を、順に請求項１〜１３に繰り上げるとともに、残りの請求項を削除したものであり、さらに、補正後の請求項１は、補正前の請求項９で規定した「第１のメモリモジュール」が、「前記インクジェット・プリントヘッド上に設けられた」ことに限定され、補正後の請求項６，８，１１は、補正前の請求項１４，１６，１９で規定した「第３のメモリモジュール」が、「インクリザーバ上に設けられた」ことに限定され、補正後の請求項１３は、表現上の微細な修正が加えられているものである。
　
　そうすると、本件補正は、平成１４年法律第２４号改正附則第２条第１項によりなお従前の例によるとされる同法による改正前の特許法第１７条の２第４項第１号の請求項の削除、及び同項第２号の特許請求の範囲の減縮を目的としたものに実質的に該当する。
　
　そこで、上記限定が付された請求項の１つである、本願補正後の請求項１（次に示す。以下、「本願補正発明」という。）が特許出願の際独立して特許を受けることができるものであるかについて以下に検討する。
　
（本願補正発明）
　「【請求項１】インク滴を印刷可能な媒体上に噴射することによって、前記印刷可能な媒体上に画像を形成するインクジェット印刷装置であって、
　電気的なエネルギーパルスを受け取り、前記エネルギーパルスに基づいて抵抗加熱要素の表面にエネルギー密度を与え、当該抵抗加熱要素の表面近くのインクに熱エネルギーを伝達し、これによってプリントヘッドから噴射されるインク滴を形成する少なくとも１つの抵抗加熱要素を有するインクジェット・プリントヘッドと、
　前記抵抗加熱要素の少なくとも１つの物理的な寸法を示す、加熱要素の少なくとも１つの寸法値と、前記抵抗加熱要素の少なくとも１つの電気的な特性を示す、加熱要素の少なくとも１つの電気的数値とを記憶する、前記インクジェット・プリントヘッド上に設けられた第１のメモリモジュールと、
　前記加熱要素の少なくとも１つの寸法値及び前記加熱要素の少なくとも１つの電気的数値を引き出すために、前記第１のメモリモジュールにアクセスし、かつ、前記加熱要素の少なくとも１つの寸法値及び前記加熱要素の少なくとも１つの電気的数値に基づいて前記抵抗加熱要素の表面に最適なエネルギー密度を与えるために、最適なエネルギーパルスの少なくとも１つの特性を決定するプロセッサと、
　前記最適なエネルギーパルスを前記抵抗加熱要素に選択的に与えるドライバ回路と、を含むインクジェット印刷装置。」
　
　
２．引用刊行物の記載事項
　原査定の拒絶の理由に引用された、本願の優先日前に頒布された特開平６−３２０７２９号公報（以下、「刊行物１」という。）には、図面とともに次の事項が記載されている。なお、下線は当審で付した。
　
　（ａ）「【請求項２】
記録液滴形成のための熱エネルギーを発生する複数の電気熱変換体と駆動信号に応じて前記電気熱変換体の通電を制御する駆動素子を備えたインクジェット記録ヘッドの検査装置において、前記インクジェット記録ヘッドの製造工程中に得られた各電気熱変換体の抵抗値データおよび電気熱変換体を構成している保護膜の膜厚データを記憶する記憶装置と、その抵抗値データおよび膜厚データに基づいて、前記インクジェット記録ヘッドの駆動電圧または駆動パルス幅を決定する駆動条件決定装置と、決定した駆動電圧または駆動パルス幅で前記インクジェット記録ヘッドの印字検査を行う駆動制御装置とを有することを特徴とするインクジェット記録ヘッドの検査装置
　【請求項３】〜【請求項５】（略）
　【請求項６】記録液滴形成のための熱エネルギーを発生する複数の第１の電気熱変換体と駆動信号に応じて第１の電気熱変換体の通電を制御する駆動素子を備え、さらに、第１の電気熱変換体と同一構成、形状の検査のための第２の電気熱変換体と、第２の電気熱変換体の表面温度を測定するための温度センサーとを具備するインクジェット記録ヘッドの検査方法であって、
第２の電気熱変換体の通電時の表面温度を測定し、その測定データに基づき前記インクジェット記録ヘッドの駆動電圧または駆動パルス幅を決定し、決定した駆動電圧または駆動パルス幅で前記インクジェット記録ヘッドの
印字駆動を行うことにより
印字検査を行う
　
　（ｂ）「【０００１】
【産業上の利用分野】本発明は、熱エネルギーを利用して吐出口からインク滴を吐出させるインクジェット記録ヘッド、およびそのインクジェット記録ヘッドの検査方法および検査装置に関するものである。」
　
　（ｃ）「【０００２】
【従来の技術】インクジェット記録装置は種々の方式によりインクの吐出液滴を形成し、これを記録紙などの被記録材に付着させて記録を行う記録装置である。なかでも吐出液滴形成のためのエネルギーとして熱を利用するインクジェット記録装置は、高密度のマルチノズル化が容易に具現化できるので、高解像度、高画質の画像を高速度に得られるという優れた特徴を有している。
【０００３】この種のインクジェット記録装置としては、インクに熱エネルギーを与えることで吐出口よりインクの液滴を吐出させるための複数の液滴形成手段、すなわち電流パルスを供給することにより発熱しインクを加熱することができる電気熱変換体を有する液滴形成手段と、その電気熱変換体を駆動するための集積回路（
駆動用ＩＣ
【０００４】図９はかかる形態のインクジェット記録ヘッドの構成例を示したもので、特に被記録材の全幅に対応した範囲にわたって吐出口を整列させた形態の所謂フルマルチ型のものを示す。ここで、発熱抵抗体２１１は、通電に応じて発熱し、インク内に膜沸騰による気泡を生じさせてインク吐出を行わせるための電気熱変換体２０２（図１０参照）を構成するものであり、配線とともに基板２１２上に半導体と同様の製造工程を経て形成されている。２１３Ａは発熱抵抗体２１１に対応して吐出口２１３およびこれに連通する液路２１４を形成するための液路形成部材、２１５は天板である。また２１６は各液路２１４に共通に連通する共通液室であり、不図示のインク供給源から供給されたインクを貯留する。
【０００５】図１０は図９のような機械的構成を有するインクジェット記録ヘッドの回路構成の一例を示すブロック図であり、図１１はその駆動タイミングを示す図である。図１０において、電気熱変換体２０２は電圧ＶＭの電源配線に接続されている。電気熱変換体２０２は、複数のインク吐出口２１３（図９参照）に対応して設けられるものであり、電気熱変換体２０２と同一のビット数である記録データＳＩが、図１１に示すように、不図示の画像データ生成回路より
駆動用ＩＣ
【０００６】またこの種の
インクジェット記録ヘッドは
基板上に電気熱変換体や、配線を形成する配線基板形成工程
ノズル形成工程
組立工程を経て製造され
最終的にその記録ヘッドに最適な駆動条件で駆動する印字検査工程にて
印字品位や各種性能を確認される
【０００７】ところが
このインクジェット記録ヘッドに最適な駆動条件は、電気熱変換体の形状、構成、インク種類などにより異なることはもちろんであるが、同一種類のインクジェット記録ヘッドにおいても製造工程中の膜厚変動、膜厚分布などにより異なる場合がある
【０００８】
【発明が解決しようとする課題】しかしながら、前述の従来の技術では、記録ヘッドの吐出開始電圧もしくは吐出開始パルス幅の測定は、電圧もしくはパルス幅を変化させながら吐出状態を観察して行うため、かなりの時間を費やす。特に被記録材の全幅に対応した範囲にわたり吐出口を整列させた形態の所謂フルマルチ型のものにおいては、ビット数も多く、また各ビットの吐出開始電圧もしくは吐出開始パルス幅もばらつきを持ち、測定作業者の熟練を要し、またかなりの時間を費やすこととなる。このことが記録ヘッドの低廉化の大きな障害となっていた。
【０００９】本発明の目的は、かかる問題点に着目し、その解決を図るべく比較的簡単な手段によりインクジェット記録ヘッドの最適な駆動条件を決定し、印字検査工程において、吐出開始電圧もしくは吐出開始パルス幅の測定を省略できるインクジェット記録ヘッドの検査方法および検査装置を提供することにある。本発明の他の目的は、上記検査方法および検査装置に用いることができるインクジェット記録ヘッドを提供することにある」
　
　（ｄ）「【００１６】
【作用】本発明は、製造工程中に得られた各種データを有効に利用し、インクジェット記録ヘッドの最適な駆動条件を決定し、その駆動条件に基づき印字検査を行うものである。本発明によれば
比較的簡単な方法にてインクジェット記録ヘッドの最適駆動条件が決定でき
　
　（ｅ）「【００１８】
【実施例】以下に、図面に基づいて本発明の実施例を説明する。
【００１９】
図１
印字検査装置は
インクジェット記録ヘッド１１と
電気熱変換体３２（図２参照）や配線のオープン、ショートなどの不良を検出するために配線基板形成工程後に行われる抵抗検査で得られた抵抗値データを記憶する抵抗データ記憶装置１２ａと
膜厚不良を検出するために行われる膜厚検査で得られた保護膜の膜厚データを記憶する膜厚データ記憶装置１２ｂと
その抵抗値データと膜厚データとに基づき演算を行う演算装置１３と
その演算結果に基づきインクジェット記録ヘッド１１の駆動電圧、または駆動パルス幅を決定する駆動条件決定装置１４
インクジェット記録ヘッド１１を駆動するための各種制御信号を発生するための駆動制御装置１５と
ヘッド駆動電源１６などで構成
図２に示す電気熱変換体３２
【００２０】図２は電気熱変換体３２の形状例を示し、（ａ）は平面図、（ｂ）は（ａ）のＸ−Ｘ平面図である。図２（ａ），（ｂ）において、電気熱変換体３２は配線２１とともに基板上に形成された発熱抵抗体２２と、発熱抵抗体２２上に形成された保護膜２３，２４とで構成されている。この発熱抵抗体２２に通電を行い、保護膜２４表面の温度を上昇させ、保護膜２４表面に接したインク内に膜沸騰による気泡を生じてインク吐出を行うものである。したがって、
インクジェット記録ヘッドの吐出開始電圧は、発熱抵抗体２２の形状、保護膜２３，２４の厚さ、インクの種類などにより異なるが、同一種類のインクジェット記録ヘッドにおいては製造工程中に起こり得る、膜厚変動や膜厚分布、配線幅変動などに起因する
【００２１】図３はインクジェット記録ヘッドの発熱抵抗体の抵抗値と吐出開始電圧の関係を示すグラフ、図４はインクジェット記録ヘッドの保護膜厚と吐出開始電圧の関係を示すグラフである。図３、図４からわかる通り、吐出開始電圧は、少なくとも設計値に対する製造ばらつき範囲において、発熱抵抗体の抵抗値および保護膜の膜厚を変数としたある関数によって求めることが可能である。この吐出開始電圧は、発熱抵抗体の抵抗値および保護膜の膜厚以外にも、製造工程中に起こり得るその他の変動においても若干変動する可能性があるが、その変動幅は、発熱抵抗体の抵抗値や保護膜の膜厚に比べ無視できる程度に少なく、製造工程中に得られた発熱抵抗体の抵抗値データと保護膜の膜厚データによりかなり正確に求めることができる。
【００２２】また、インクジェット記録ヘッドの最適な駆動電圧は、この吐出開始電圧に耐久性を考慮して別途実験で求められたマージン値を加えて求められる。吐出開始電圧をＶ1 とすると、駆動電圧Ｖ0 は、
Ｖ0 ＝ｋＶ1 ＋Ｖ2で求められる。ただし、ｋ，Ｖ2 は記録ヘッド毎に定まる定数である。
【００２３】したがって、本実施例においては、
製造工程中に得られた発熱抵抗体２２の抵抗値データと保護膜２３，２４の膜厚データをそれぞれ抵抗データ記憶装置１２ａ、膜厚データ記憶装置１２ｂに記憶させ
そのデータを演算装置１３で演算し
その演算結果に基づき最適な駆動電圧を決定
決定した駆動電圧でインクジェット記録ヘッド１を駆動することにより、印字検査を行う
【００２４】本実施例においては、インクジェット記録ヘッドの最適駆動条件を電圧指定する場合を述べたが、インクジェット記録ヘッドによっては電圧を一定にして駆動パルス幅を指定する場合がある。この場合においても前述と同様に、抵抗値データと膜厚データにより、吐出開始パルス幅を求めることが可能であり、最適駆動パルス幅を決定し、印字検査を行うことができる。吐出開始パルス幅をＰ1 とすると、駆動パルス幅Ｐ0 は、
Ｐ0 ＝ｋＰ1 ＋Ｐ2で求められる。ただし、ｋ，Ｐ2 は記録ヘッド毎に定まる定数である。また本実施例においては、
演算に用いるデータを発熱抵抗体の抵抗値データと保護膜の膜厚データとしたが、その他の膜厚データやその他の製造工程で得られる、各種データをともに用いることによって、より精度の高い最適駆動条件を求めることができる
　
　（ｆ）ここで、上記（ａ）の【請求項６】における、印字駆動を行うことにより印字検査がなされる旨の記載、上記（ｃ）の【０００６】における、印字検査工程では印字品位を含む検査がなされる旨の記載から、印字検査では、インクジェット記録ヘッドを駆動して記録液滴（インク滴）を吐出させて、実際に印字させて、その印字品位等の検査を行うものであることが理解される。
　
（ｇ）図１，図２は、次のとおりである。
【図１】　
【図２】
　
　これら記載によれば、刊行物１には次の発明（以下、「刊行物１記載の発明」という。）が記載されているものと認められる。
　
　「記録液滴形成のための熱エネルギーを発生する複数の電気熱変換体と駆動信号に応じて前記電気熱変換体の通電を制御する駆動素子を備えたインクジェット記録ヘッドの印字検査装置において、
　前記インクジェット記録ヘッドの製造工程中に得られた各電気熱変換体の抵抗値データおよび電気熱変換体を構成している保護膜の膜厚データを記憶する記憶装置と、
　その抵抗値データおよび膜厚データに基づいて、前記インクジェット記録ヘッドの最適な駆動電圧または駆動パルス幅を決定する駆動条件決定装置と、
　決定した最適な駆動電圧または駆動パルス幅で前記インクジェット記録ヘッドの印字検査を行う駆動制御装置とを有する、
　インクジェット記録ヘッドの印字検査装置。」
　
３．対比・判断
　そこで、本願補正発明と刊行物１記載の発明とを対比すると、
　刊行物１記載の発明の「インクジェット記録ヘッドの印字検査装置」と、本願補正発明の「インクジェット印刷装置」については、前者は、何らかの印字を行い、その印字結果を検査する装置であるので、何らかの印字装置といえる部分を含むものといえるから、両者は、「広い意味でのインクジェット印字装置を装置」という点で共通するといえる。
　
　また、刊行物１記載の発明の「記録液滴」「電気熱変換体」「電気熱変換体の通電を制御する駆動素子」「インクジェット記録ヘッド」「電気熱変換体の抵抗値データ」「電気熱変換体を構成している保護膜の膜厚データ」「記憶装置」「駆動電圧または駆動パルス幅」は、
　それぞれ、本願補正発明の「インク滴」「抵抗加熱要素」「エネルギーパルスを前記抵抗加熱要素に選択的に与えるドライバ回路」「インクジェット・プリントヘッド」「抵抗加熱要素の少なくとも１つの電気的な特性を示す、加熱要素の少なくとも１つの電気的数値」「抵抗加熱要素の少なくとも１つの物理的な寸法を示す、加熱要素の少なくとも１つの寸法値」「第１のメモリモジュール」「エネルギーパルスの少なくとも１つの特性」に相当するといえる。
　
　そして、刊行物１記載の発明の「その抵抗値データおよび膜厚データに基づいて、前記インクジェット記録ヘッドの最適な駆動電圧または駆動パルス幅を決定する駆動条件決定装置」は、印字検査のための、最適な駆動電圧または駆動パルス幅を決定するものであるところ、広い意味で、印字のための最適な駆動電圧または駆動パルス幅を決定するものであるといえ、また、決定するための何らかのプロセッサというべきものがあり、そのプロセッサが、抵抗値データおよび膜厚データを記録する記録装置にアクセスしてデータ取得していることは当然であるから、
　本願補正発明の「前記加熱要素の少なくとも１つの寸法値及び前記加熱要素の少なくとも１つの電気的数値を引き出すために、前記第１のメモリモジュールにアクセスし、かつ、前記加熱要素の少なくとも１つの寸法値及び前記加熱要素の少なくとも１つの電気的数値に基づいて前記抵抗加熱要素の表面に最適なエネルギー密度を与えるために、最適なエネルギーパルスの少なくとも１つの特性を決定するプロセッサ」に相当するということができる。
　
　そうすると、両発明の一致点、相違点は次のとおりと認められる。
　
［一致点］
　「電気的なエネルギーパルスを受け取り、前記エネルギーパルスに基づいて抵抗加熱要素の表面にエネルギー密度を与え、当該抵抗加熱要素の表面近くのインクに熱エネルギーを伝達し、これによってプリントヘッドから噴射されるインク滴を形成する少なくとも１つの抵抗加熱要素を有するインクジェット・プリントヘッドと、
　前記抵抗加熱要素の少なくとも１つの物理的な寸法を示す、加熱要素の少なくとも１つの寸法値と、前記抵抗加熱要素の少なくとも１つの電気的な特性を示す、加熱要素の少なくとも１つの電気的数値とを記憶する、第１のメモリモジュールと、
　前記加熱要素の少なくとも１つの寸法値及び前記加熱要素の少なくとも１つの電気的数値を引き出すために、前記第１のメモリモジュールにアクセスし、かつ、前記加熱要素の少なくとも１つの寸法値及び前記加熱要素の少なくとも１つの電気的数値に基づいて前記抵抗加熱要素の表面に最適なエネルギー密度を与えるために、最適なエネルギーパルスの少なくとも１つの特性を決定するプロセッサと、
　前記最適なエネルギーパルスを前記抵抗加熱要素に選択的に与えるドライバ回路と、
を含む、
　広い意味でのインクジェット印字装置を装置。」
　
［相違点１］
　装置のタイプに関して、
　本願補正発明は、インク滴を印刷可能な媒体上に噴射することによって、印刷可能な媒体上に画像を形成するインクジェット印刷装置であるのに対し、
　刊行物１記載の発明は、インクジェット記録ヘッドの印字検査装置である点。
　
［相違点２］
　第１のメモリモジュールが、
　本願補正発明は、インクジェット・プリントヘッド上に設けられているのに対し、
　刊行物１記載の発明は、インクジェット記録ヘッドの印字検査装置にあるものの、記録ヘッド上に設けられていることは明記されていない点。
　
　次に相違点について検討する。
　
（相違点１について）
　刊行物１記載の発明は、インクジェット記録ヘッドの印字検査装置であるが、上記（ｆ）で述べたように、その印字検査は、インクジェット記録ヘッドを駆動して記録液滴（インク滴）を吐出させて、実際に印字して、その印字品位等の検査を行うものであることが理解されるから、結局、刊行物１記載の発明は、何らかの印字を行い、その印字結果を検査する装置であり、何らかの印字装置といえる部分を含むものといえる。
　そして、刊行物１記載の発明は、インクジェット記録ヘッドの製造工程中に得られた電気熱変換体の抵抗値データおよび電気熱変換体を構成している保護膜の膜厚データを記憶しておくもので、上記（ｄ）のとおり「本発明は、製造工程中に得られた各種データを有効に利用し、インクジェット記録ヘッドの最適な駆動条件を決定し、その駆動条件に基づき印字検査を行うものである。本発明によれば比較的簡単な方法にてインクジェット記録ヘッドの最適駆動条件が決定でき、低廉で、高品位なインクジェット記録ヘッドの提供が可能である。」というものであり、
　刊行物１に接した当業者であれば、刊行物１記載の発明における「記録ヘッドの製造工程中に得られた各種データを有効に利用し、インクジェット記録ヘッドの最適な駆動条件を決定し、その駆動条件に基づき印字を行う」という基本的な考え方を、通常のインクジェット記録（印刷）装置においても応用してみようと難なく考えるものである。
　何故なら、通常のインクジェット記録（印刷）においても、最適な駆動条件を決定することが当然に重要であり（必要ならば、下記（相違点２について）で示す文献や、特開平５−５０６０５号公報、特開昭６３−１７００３９号公報、特開平３−２２７６４１号公報、特開平７−１８６３９１号公報を参照。）、しかも、印字検査における最適な駆動条件と必ずしも一致しないとしても、通常の印刷における最適な駆動条件を簡便に求めたいというニーズは当然にあるので、刊行物１の「記録ヘッドの製造工程中に得られた各種データを有効に利用し、インクジェット記録ヘッドの最適な駆動条件を決定し、その駆動条件に基づき印字を行う」ことのメリットは、通常のインクジェット記録（印刷）においても大きいと当業者であれば考えるからである。
　
　そして、通常のインクジェット印刷装置において、刊行物１記載の発明の基本的な思想を適用して、本願補正発明のごとく構成すること（なお、相違点２の部分は、後で検討するので、ここでは除く。）は、当業者が、その通常の創作能力を発揮すれば、容易になし得ることである。
　
（相違点２について）
　一般に、インクジェット記録装置において、記録ヘッドは個々に特性等が異なるので、各記録ヘッドに適した駆動条件等のデータを記憶したメモリを、記録ヘッドに設けておき、ヘッドを装着した際に、その駆動条件等のデータを読み出して利用する技術が、本願優先日前に周知である。
　例えば、特開平６−３２０７３２号公報の【００６４】〜【００７０】、【０１０３】、【０１３５】等、特開昭６３−２５７６４８号公報の特許請求の範囲、第２頁の（発明の目的）（発明の構成作用）等、特開平５−３１９０５号公報の請求項１５、【０１４９】、【０１５０】等を参照。
　そして、このような周知の技術と、刊行物１記載の発明とは、メモリに記憶したデータのレベルまたは種類に差はあるものの、ヘッド固有の駆動条件関係データをメモリに記憶させておく点で、共通するものである。
　そうすると、上記の周知の技術を知っている当業者であれば、相違点１の判断で示したように「通常のインクジェット印刷装置において、刊行物１記載の発明の基本的な思想を適用して、本願補正発明のごとく構成する」際に、併せて、相違点２に係る本願補正発明のごとく、「抵抗加熱要素の少なくとも１つの物理的な寸法を示す、加熱要素の少なくとも１つの寸法値と、抵抗加熱要素の少なくとも１つの電気的な特性を示す、加熱要素の少なくとも１つの電気的数値とを記憶する、第１のメモリモジュール」を、インクジェット・プリントヘッド上に設けることは、当業者が容易になし得ることである。
　
（本願補正発明の効果について）
　また、本願補正発明によってもたらされる効果についても、刊行物１の記載事項及び上記周知の技術から当業者であれば当然に予測することができる程度のことであって、格別なものではない。
　
（まとめ）
　以上のとおりであるから、本願補正発明は、刊行物１記載の発明及び上記周知の技術に基づいて当業者が容易に発明をすることができたものであるので、特許法第２９条第２項の規定により、特許出願の際独立して特許を受けることができない。
　
４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
１．本願の請求項９に係る発明
　平成１９年６月５日付けの手続補正は上記のとおり却下されたので、本願の請求項１〜２７に係る発明は、平成１８年１０月１７日付けの手続補正書により補正された特許請求の範囲の請求項１〜２７に記載された事項により特定されるとおりのものと認められるところ、その請求項９に係る発明（以下、「本願発明９」という。）は、次のとおりである。
　
　「【請求項９】インク滴を印刷可能な媒体上に噴射することによって、前記印刷可能な媒体上に画像を形成するインクジェット印刷装置であって、
　電気的なエネルギーパルスを受け取り、前記エネルギーパルスに基づいて抵抗加熱要素の表面にエネルギー密度を与え、当該抵抗加熱要素の表面近くのインクに熱エネルギーを伝達し、これによってプリントヘッドから噴射されるインク滴を形成する少なくとも１つの抵抗加熱要素を有するインクジェット・プリントヘッドと、
　前記抵抗加熱要素の少なくとも１つの物理的な寸法を示す、加熱要素の少なくとも１つの寸法値と、前記抵抗加熱要素の少なくとも１つの電気的な特性を示す、加熱要素の少なくとも１つの電気的数値とを記憶する第１のメモリモジュールと、
　前記加熱要素の少なくとも１つの寸法値及び前記加熱要素の少なくとも１つの電気的数値を引き出すために、前記第１のメモリモジュールにアクセスし、かつ、前記加熱要素の少なくとも１つの寸法値及び前記加熱要素の少なくとも１つの電気的数値に基づいて前記抵抗加熱要素の表面に最適なエネルギー密度を与えるために、最適なエネルギーパルスの少なくとも１つの特性を決定するプロセッサと、
　前記最適なエネルギーパルスを前記抵抗加熱要素に選択的に与えるドライバ回路と、を含むインクジェット印刷装置。」
　
２．引用刊行物の記載事項
　これに対して、原査定の拒絶の理由に引用された特開平６−３２０７２９号公報（上記「第２　２．」で示した「刊行物１」）の記載事項は、上記「第２．２．」に記載したとおりである。
　
３．対比・判断
　本願発明９は、本願補正発明から「前記インクジェット・プリントヘッド上に設けられた」との限定事項を省いたものに相当する。
　そうすると、本願発明９の構成要件を全て含み、更に他の要件を付加したものに相当する本願補正発明が、上記「第２　３．」に記載されたとおり、刊行物１記載の発明及び上記周知の技術に基づいて当業者が容易に発明をすることができたものであるから、本願発明９も、同様の理由により（ただし、「第２　３．」で示す［相違点２］は、ここでは相違点でないから、上記周知の技術を用いる必要がない。）、刊行物１記載の発明に基づいて当業者が容易に発明をすることができたものである。
　
４．むすび
　以上のとおりであるから、本願の請求項９に係る発明は、特許法第２９条第２項の規定により特許を受けることができないものであるので、他の請求項について検討するまでもなく、本願は拒絶すべきものである。
　よって、結論のとおり審決する。